(57)【要約】【課題】温水暖房端末装置への温水の供給温度を必要に応じて変化させることができる温水暖房システムを提供する。【解決手段】２次側暖房回路３０は、熱交換器２１によって生成された８０℃の２次温水が、２次温水循環配管３３及び２次温水循環ポンプ３４によって、ファンコンベクタ３１及び床暖房マット３２ａ、３２ｂに循環供給されるようになっており、比例制御弁３５ａ、３５ｂによって、８０℃の２次温水の各床暖房マット３２ａ、３２ｂへの供給流量が調整されるようになっている。各床暖房マット３２ａ、３２ｂから送出される２次温水の大部分が、端末側循環配管３６及び端末側循環ポンプ３７によって、各床暖房マット３２ａ、３２ｂに戻され、比例制御弁３５ａ、３５ｂを通過して送出される８０℃の２次温水に混合されることによって、６０℃程度に降温された２次温水が各床暖房マット３２ａ、３２ｂに供給されるようになっている。【選択図】        図１
2005201618.tif 000002
【特許請求の範囲】
【請求項１】
温水暖房熱源機によって生成された所定温度の温水を、循環配管及び循環ポンプによって、温水暖房端末装置に循環供給するようになっている温水暖房システムにおいて、
前記循環配管における前記温水暖房端末装置の上流側に設置された、前記温水暖房熱源機によって生成された温水の前記温水暖房端末装置への供給量を制御する制御弁と、
前記温水暖房端末装置から送出される温水を前記温水暖房端末装置に戻すように、前記循環配管における前記温水暖房端末装置の下流側から分岐して、前記温水暖房端末装置の上流側における前記制御弁の下流側で前記循環配管に接続される端末側循環配管と、
前記循環配管における前記温水暖房端末装置の下流側で前記端末側循環配管の分岐部よりも上流側に設置される端末側循環ポンプと、
前記端末側循環配管に設置された開閉弁と
を備えていることを特徴とする温水暖房システム。
【請求項２】
温水暖房熱源機によって生成された所定温度の温水を、循環配管及び循環ポンプによって、温水暖房端末装置に循環供給するようになっている温水暖房システムにおいて、
前記循環配管における前記温水暖房端末装置の上流側に設置された、前記温水暖房熱源機によって生成された温水の前記温水暖房端末装置への供給量を制御する制御弁と、
前記温水暖房端末装置から送出される温水を前記温水暖房端末装置に戻すように、前記循環配管における前記温水暖房端末装置の下流側から分岐して、前記温水暖房端末装置の上流側における前記制御弁の下流側で前記循環配管に接続される端末側循環配管と、
前記端末側循環配管に設置される端末側循環ポンプと、
前記端末側循環配管における前記端末側循環ポンプの下流側に設置された開閉弁と
を備えていることを特徴とする温水暖房システム。
【請求項３】
前記端末側循環ポンプとして、可変流量ポンプを採用した請求項２に記載の温水暖房システム。
【請求項４】
前記温水暖房端末装置による暖房運転開始時には、前記開閉弁が閉弁するようになっている請求項１、２または３に記載の温水暖房システム。
【請求項５】
前記制御弁が全閉になっても、前記温水暖房端末装置への温水の供給温度が必要以上に高い場合は、前記開閉弁が開閉制御を行うようになっている請求項１、２、３または４に記載の温水暖房システム。
【発明の詳細な説明】
【技術分野】
【０００１】
この発明は、温水暖房熱源機によって生成された温水を利用して温水暖房端末装置が暖房を行う温水暖房システムに関する。
【背景技術】
【０００２】
温水暖房熱源機によって生成された温水を利用して暖房を行う温水暖房システムに使用される温水暖房端末装置としては、比較的高温（例えば、８０℃）の温水を供給しなければ定格の暖房能力を発揮させることができないファンコンベクタ等の高温端末装置と、比較的低温（例えば、６０℃）の温水を供給することによって、定格の暖房能力を十分に発揮させることができる床暖房マット等の低温端末装置とがある。
【０００３】
ところで、ある部屋については、ファンコンベクタを用いて暖房を行い、他の部屋については、床暖房マットを用いて床暖房を行うような場合は、図３に示すように、温水暖房熱源機５１によって生成された所定温度の温水を、循環配管５２及び温水暖房熱源機５１に搭載されている循環ポンプによって、ファンコンベクタ５３及び床暖房マット５４に循環供給するような温水暖房システム５０が採用されるが、このような温水暖房システム５０では、高温端末装置であるファンコンベクタ５３に定格の暖房能力を発揮させるために、ファンコンベクタ５３に比較的高温の温水を供給しなければならず、その結果、こういった温水暖房システム５０では、温水暖房熱源機５１によって生成された比較的高温の温水が低温端末装置である床暖房マット５４にも循環供給されることになる。
【０００４】
【特許文献１】特開２００１−０７４２５５号公報
【発明の開示】
【発明が解決しようとする課題】
【０００５】
しかしながら、６０℃の温水を供給しながら、熱動弁５５の開閉によって温水の供給量を調整するように設計されている床暖房マット５４に、例えば、８０℃といった温度の高い温水が供給されると、温水の影響を受け、温水の供給量を調整している熱動弁５５の応答性が悪くなるので、床暖房フロアの表面の温度変動や温度むらが大きくなり、快適性に欠けるといった問題がある。
【０００６】
また、近年では、外気の保有熱を利用して温水を生成するようになっているため、効率よく温水を生成することができるヒートポンプユニットを温水暖房熱源機として使用する場合があるが、ヒートポンプユニットから送出された８０℃程度の温水が床暖房マットに供給されると、床暖房マットからは７０℃程度の比較的温度の高い温水がヒートポンプユニットに戻されることになるので、効率よく暖房運転を行うことができないといった問題もある。
【０００７】
また、温水暖房端末装置として床暖房マットだけが使用されている温水暖房システムでは、温水暖房熱源機が６０℃といった比較的低温の温水を床暖房マットに循環供給すればよいので、上述したような問題が発生することはないが、床暖房運転の開始直後は、室温をできるだけ早く上昇させたいので、６０℃以上の温水を一時的に供給したい場合もある。
【０００８】
そこで、この発明の課題は、温水暖房端末装置への温水の供給温度を必要に応じて変化させることができる温水暖房システムを提供することにある。
【課題を解決するための手段】
【０００９】
上記の課題を解決するため、請求項１にかかる発明は、温水暖房熱源機によって生成された所定温度の温水を、循環配管及び循環ポンプによって、温水暖房端末装置に循環供給するようになっている温水暖房システムにおいて、前記循環配管における前記温水暖房端末装置の上流側に設置された、前記温水暖房熱源機によって生成された温水の前記温水暖房端末装置への供給量を制御する制御弁と、前記温水暖房端末装置から送出される温水を前記温水暖房端末装置に戻すように、前記循環配管における前記温水暖房端末装置の下流側から分岐して、前記温水暖房端末装置の上流側における前記制御弁の下流側で前記循環配管に接続される端末側循環配管と、前記循環配管における前記温水暖房端末装置の下流側で前記端末側循環配管の分岐部よりも上流側に設置される端末側循環ポンプと、前記端末側循環配管に設置された開閉弁とを備えていることを特徴とする温水暖房システムを提供するものである。なお、ここにいう「温水暖房熱源機によって生成された所定温度の温水」とは、温水暖房熱源機によって直接生成された所定温度の温水を利用して暖房を行う場合に限定されるものではなく、温水暖房熱源機によって直接生成された１次温水を熱交換器に通して加熱することで生成された所定温度の２次温水を利用して暖房を行う場合も含まれる。
【００１０】
また、上記の課題を解決するため、請求項２にかかる発明は、温水暖房熱源機によって生成された所定温度の温水を、循環配管及び循環ポンプによって、温水暖房端末装置に循環供給するようになっている温水暖房システムにおいて、前記循環配管における前記温水暖房端末装置の上流側に設置された、前記温水暖房熱源機によって生成された温水の前記温水暖房端末装置への供給量を制御する制御弁と、前記温水暖房端末装置から送出される温水を前記温水暖房端末装置に戻すように、前記循環配管における前記温水暖房端末装置の下流側から分岐して、前記温水暖房端末装置の上流側における前記制御弁の下流側で前記循環配管に接続される端末側循環配管と、前記端末側循環配管に設置される端末側循環ポンプと、前記端末側循環配管における前記端末側循環ポンプの下流側に設置された開閉弁とを備えていることを特徴とする温水暖房システムを提供するものである。
【００１１】
また、請求項３にかかる発明は、請求項２にかかる発明の温水暖房システムにおいて、前記端末側循環ポンプとして、可変流量ポンプを採用したのである。
【００１２】
また、請求項４にかかる発明は、請求項１、２または３にかかる発明の温水暖房システムにおいて、前記温水暖房端末装置による暖房運転開始時には、前記開閉弁を閉弁させるようにしたのである。
【００１３】
また、請求項５にかかる発明は、請求項１、２、３または４にかかる発明の温水暖房システムにおいて、前記制御弁が全閉になっても、前記温水暖房端末装置への温水の供給温度が必要以上に高い場合は、前記開閉弁が開閉制御を行うようにしたのである。
【発明の効果】
【００１４】
以上のように、請求項１にかかる発明の温水暖房システムでは、温水暖房端末装置から送出される温水が、端末側循環配管及び端末側循環ポンプによって、温水暖房端末装置に戻されるようになっているので、温水暖房熱源機から送出される温水と、温水暖房端末装置を通過することによって放熱された温度の低い温水とが混合された状態で、温水暖房端末装置に供給されることになり、温水暖房熱源機から送出される温水の温水暖房端末装置への供給量を制御弁によって適宜調整することで、温水暖房端末装置への温水の供給量をほとんど変化させることなく、温水暖房端末装置への温水の供給温度を制御することができる。
【００１５】
従って、例えば、高温端末装置であるファンコンベクタと低温端末装置である床暖房マットといった、温水の供給温度が異なる複数の温水暖房端末装置が使用されている温水暖房システムにおいて、温水暖房熱源機が、高温端末装置であるファンコンベクタに合わせて比較的高温の温水を送出している場合であっても、低温端末装置である床暖房マットには、それに適した比較的低温の温水を供給することが可能となり、従来の温水暖房システムのように、床暖房フロア表面の温度変動や温度むらが大きくなることがなく、快適な床暖房フロアを実現することができる。
【００１６】
しかも、低温端末装置である床暖房マットからは、かなり温度の低い温水が送出されることになるので、温水暖房熱源機としてヒートポンプユニットを使用した場合は、ヒートポンプユニットの熱回収効率が上昇し、その結果、暖房運転の効率も改善される。
【００１７】
請求項１にかかる発明の温水暖房システムのように、循環配管に端末側循環ポンプを設置すると、端末側循環ポンプとして、循環ポンプと同じ定格流量のポンプを選定しなければならないが、請求項２にかかる発明の温水暖房システムでは、端末側循環ポンプが端末側循環配管に設置されているので、例えば、高温端末装置であるファンコンベクタと低温端末装置である床暖房マットといった複数の温水暖房端末装置が使用されている温水暖房システムにおいて、低温端末装置である床暖房マット側だけに端末側循環配管を設置するような場合には、端末側循環ポンプは、床暖房マットにだけ必要温水量を供給することができればよいので、請求項１にかかる発明の温水暖房システムとは異なり、端末側循環ポンプとして、循環ポンプより定格流量の小さいポンプを選定することができるという効果が得られる。
【００１８】
ただし、請求項１にかかる発明の温水暖房システムのように、循環配管に端末側循環ポンプを設置する場合は、端末側循環ポンプとして、それなりのポンプを選定すれば、循環ポンプを省略することができるので、循環ポンプを搭載していない熱源機を使用する場合に有効である。
【００１９】
また、請求項３にかかる発明の温水暖房システムのように、前記端末側循環ポンプとして、可変流量ポンプを採用すると、例えば、複数系統の温水暖房端末装置が存在しており、一部の系統だけを運転するような場合は、端末側循環ポンプの流量を低下させることによって、ポンプ動力を削減することができる。即ち、端末側循環ポンプの省電力化を図ることができる。
【００２０】
また、請求項４にかかる発明の温水暖房システムのように、温水暖房端末装置による暖房運転開始時には、開閉弁を閉弁させるようにしておくと、温水暖房熱源機から送出される温度の高い温水だけが温水暖房端末装置に供給されることになるので、暖房運転を開始した後、短時間のうちに室温を上昇させることができる。特に、端末側循環ポンプが端末側循環配管に設置されている場合は、暖房運転を開始した後、開閉弁を開弁させるまでの間は、端末側循環ポンプを運転する必要がないので、省エネルギ効果も得られる。
【００２１】
また、請求項５にかかる発明の温水暖房システムのように、制御弁が全閉になっても、温水暖房端末装置への温水の供給温度が必要以上に高い場合は、開閉弁が開閉制御を行うようにしておくと、温水暖房端末装置への温水の供給量を低下させることができるので、温水暖房端末装置の温度制御性がさらに向上する。特に、可変流量タイプの端末側循環ポンプが端末側循環配管に設置されている場合は、開閉弁の開閉制御に代えて、端末側循環ポンプの流量を制御することによって、ポンプ動力を削減することもできる。
【発明を実施するための最良の形態】
【００２２】
以下、実施の形態について図面を参照して説明する。図１は、居室内を暖房するための温水暖房システム１を示している。この温水暖房システム１は、同図に示すように、１次温水を生成する温水暖房熱源機１０と、この温水暖房熱源機１０によって生成された１次温水を熱交換器２１に循環供給する１次温水循環回路２０と、熱交換器２１を介して、１次温水から吸熱することによって生成された所定温度の２次温水を利用して暖房を行う２次側暖房回路３０とを備えており、前記温水暖房熱源機１０は、ＣＯ２を冷媒として使用したヒートポンプユニットによって構成されている。
【００２３】
前記温水暖房熱源機１０を構成しているヒートポンプユニットは、同図に示すように、ＣＯ２からなる冷媒の蒸気を圧縮して高温高圧の過熱蒸気にする圧縮機１１と、周囲に放熱することによって、高温高圧の過熱蒸気である冷媒を凝縮させる凝縮器１２と、液体冷媒を断熱膨張させることによって低温低圧の湿り蒸気にする膨張弁１３と、周囲から熱を奪って、液分の多い湿り蒸気である冷媒を蒸発させる蒸発器１４とが、冷媒配管１５によって接続されており、熱交換器２１から戻ってくる放熱後の１次温水を、凝縮器１２において、高温の冷媒との間で熱交換させることによって、９０℃程度まで昇温させることができるようになっている。
【００２４】
前記１次温水循環回路２０は、温水暖房熱源機１０の凝縮器１２の２次側と、熱交換器２１の１次側とを相互に接続する１次温水循環配管２２と、温水暖房熱源機１０に搭載されている１次温水循環ポンプ２３と、１次温水の循環流量を制御する比例制御弁２４とを備えており、比例制御弁２４は、熱交換器２１によって８０℃の２次温水が生成されるように、その弁開度が調整されるようになっている。
【００２５】
前記２次側暖房回路３０は、高温端末装置としてのファンコンベクタ３１と、２系統の床暖房フロアを構成している、低温端末装置としての床暖房マット３２ａ、３２ｂと、熱交換器２１によって生成された８０℃の２次温水を、ファンコンベクタ３１及び床暖房マット３２ａ、３２ｂに循環供給する２次温水循環配管３３及び２次温水循環ポンプ３４とを備えており、ファンコンベクタ３１は８０℃の温水を供給することによって定格の暖房能力を発揮し、床暖房マット３２ａ、３２ｂは６０℃の温水を供給することによって定格の暖房能力を発揮するようになっている。
【００２６】
２次温水循環配管３３には、各床暖房マット３２ａ、３２ｂの上流側に比例制御弁３５ａ、３５ｂがそれぞれ設置されており、この比例制御弁３５ａ、３５ｂの開度を制御することで、熱交換器２１によって生成された８０℃の２次温水の各床暖房マット３２ａ、３２ｂへの供給流量がそれぞれ調整されるようになっている。
【００２７】
また、２次温水循環配管３３における各床暖房マット３２ａ、３２ｂの上流側には、比例制御弁３５ａ、３５ｂの下流側に、２次温水循環配管３３における双方の床暖房マット３２ａ、３２ｂの下流側から分岐した端末側循環配管３６がそれぞれ接続されており、２次温水循環配管３３における双方の床暖房マット３２ａ、３２ｂの下流側には、端末側循環配管３６の分岐部よりも上流側に端末側循環ポンプ３７が設置されている。
【００２８】
従って、各床暖房マット３２ａ、３２ｂから送出される２次温水の大部分が、端末側循環配管３６及び端末側循環ポンプ３７によって、２次温水循環配管３３における各床暖房マット３２ａ、３２ｂの上流側に戻され、比例制御弁３５ａ、３５ｂを通過して送出される８０℃の２次温水に混合されることによって、６０℃程度に降温された２次温水が各床暖房マット３２ａ、３２ｂに供給されるようになっている。
【００２９】
また、端末側循環配管３６には、各床暖房マット３２ａ、３２ｂ毎に熱動弁３８ａ、３８ｂが設置されており、各熱動弁３８ａ、３８ｂを閉弁させることによって、端末側循環配管３６を通って各床暖房マット３２ａ、３２ｂに戻される温水の供給を遮断することができるようになっている。この熱動弁３８ａ、３８ｂは、各床暖房マット３２ａ、３２ｂが床暖房運転を行っている間は基本的に開弁されているが、各床暖房マット３２ａ、３２ｂの運転停止中や運転開始時にはそれぞれ閉弁するようになっている。また、各床暖房マット３２ａ、３２ｂの運転中において、比例制御弁３５ａ、３５ｂが全閉になると、この熱動弁３８ａ、３８ｂが開閉制御を行うことによって、各床暖房マット３２ａ、３２ｂへの放熱後の温水の供給量が調整されるようになっている。
【００３０】
以上のように、この温水暖房システム１では、各床暖房マット３２ａ、３２ｂから送出される２次温水が、端末側循環配管３６及び端末側循環ポンプ３７によって、各床暖房マット３２ａ、３２ｂにそれぞれ戻されるようになっているので、低温端末装置である各床暖房マット３２ａ、３２ｂには、それに適した６０℃という比較的低温の温水を供給することが可能となり、従来の温水暖房システムのように、床暖房フロア表面の温度変動や温度むらが大きくなることがなく、快適な床暖房フロアを実現することができる。
【００３１】
また、この温水暖房システム１では、各床暖房マット３２ａ、３２ｂに対応するそれぞれの比例制御弁３５ａ、３５ｂの開度を調整することによって、各床暖房マット３２ａ、３２ｂへの温水の供給流量をほとんど変化させることなく、各床暖房マット３２ａ、３２ｂへの温水の供給温度を制御することができるので、熱動弁を開閉させることによって床暖房マットへの温水の供給量を調整していた従来の温水暖房システムに比べて、各床暖房マット３２ａ、３２ｂの温度制御性がさらに向上する。
【００３２】
しかも、低温端末装置である各床暖房マット３２ａ、３２ｂからは、６０℃を下回る低温の温水が送出されることになり、これに伴って、１次温水の温水暖房熱源機１０への戻り温度も低くなるので、配管における温水の放熱ロスが小さくなると共に、上述したように、温水暖房熱源機１０としてヒートポンプユニットを使用した場合は、効率よく暖房運転を行うことができる。
【００３３】
また、この温水暖房システム１では、各床暖房マット３２ａ、３２ｂによる床暖房運転の開始時には、熱動弁３８ａ、３８ｂを閉弁させることによって、熱交換器２１から送出される８０℃の温水だけを各床暖房マット３２ａ、３２ｂに供給するようにしているので、床暖房を開始した後、短時間のうちに室温を所定温度まで上昇させることができる。
【００３４】
また、この温水暖房システム１では、各床暖房マット３２ａ、３２ｂの運転中において、比例制御弁３５ａ、３５ｂが全閉になっても、各床暖房マット３２ａ、３２ｂへの温水の供給温度が必要以上に高い場合は、熱動弁３８ａ、３８ｂが開閉制御を行うことによって、各床暖房マット３２ａ、３２ｂへの放熱後の温水の供給量を低下させるようになっているので、各床暖房マット３２ａ、３２ｂの温度制御性がさらに向上する。
【００３５】
なお、上述した実施形態では、２次温水循環配管３３における双方の床暖房マット３２ａ、３２ｂの下流側であって、端末側循環配管３６の分岐部よりも上流側に、定流量タイプの端末側循環ポンプ３７が設置されているが、これに限定されるものではなく、例えば、図２に示す温水暖房システム２のように、端末側循環配管３６における熱動弁３８ａ、３８ｂの上流側に可変流量タイプの端末側循環ポンプ３７Ａを設置してもよい。
【００３６】
上述した温水暖房システム１のように、２次温水循環配管３３に端末側循環ポンプ３７を設置する場合は、端末側循環ポンプ３７として、２次温水循環ポンプ３４と同じ定格流量のポンプを選定しなければならないが、温水暖房システム２では、端末側循環ポンプ３７Ａが端末側循環配管３６に設置されているので、端末側循環ポンプ３７Ａは、床暖房マット３２ａ、３２ｂにだけ必要量の温水を供給することができればよく、端末側循環ポンプ３７Ａとしては、２次温水循環ポンプ３４より定格流量の小さいポンプを選定することができると共に、熱動弁３８ａ、３８ｂが閉弁している床暖房運転の開始直後は、熱動弁３８ａ、３８ｂが開弁するまでの間、端末側循環ポンプ３７Ａを運転する必要がないので、省エネルギ効果も得られる。
【００３７】
ただし、上述した温水暖房システム１のように、２次温水循環配管３３に端末側循環ポンプ３７を設置する場合は、端末側循環ポンプ３７として、それなりの能力を備えたポンプを選定することによって、２次温水循環ポンプ３４を省略することができるという利点がある。
【００３８】
また、この温水暖房システム２では、端末側循環ポンプ３７Ａとして、可変流量ポンプを採用しているので、例えば、床暖房マット３２ａ、３２ｂのうち、いずれか一方だけを運転するような場合は、端末側循環ポンプ３７Ａのポンプ流量を１／２に低下させることによって、ポンプ動力を削減することができる。
【００３９】
また、各床暖房マット３２ａ、３２ｂの運転中において、比例制御弁３５ａ、３５ｂが全閉になっても、各床暖房マット３２ａ、３２ｂへの温水の供給温度が必要以上に高い場合は、温水暖房システム１において行われている熱動弁３８ａ、３８ｂの開閉制御に代えて、端末側循環ポンプ３７Ａの流量を制御することによって、ポンプ動力を削減することもできる。
【００４０】
また、上述した各実施形態では、温水暖房熱源機１０としてヒートポンプユニットを使用しているが、これに限定されるものではなく、ガスやオイルを燃焼させることによって温水を生成する通常の温水暖房熱源機を使用することも可能である。
【００４１】
また、上述した各実施形態では、温水暖房熱源機１０によって生成された１次温水の保有熱を利用して、温水暖房端末装置に供給される２次温水を昇温させるようにしているが、これに限定されるものではなく、温水暖房熱源機によって生成された温水を、温水暖房端末装置に直接循環供給するようにしてもよい。
【００４２】
また、上述した各実施形態では、温水暖房端末装置として、高温端末装置であるファンコンベクタ３１と、低温端末装置である床暖房マット３２ａ、３２ｂとが使用されている温水暖房システムについて説明したが、これに限定されるものではなく、低温端末装置である床暖房マットだけが使用されている温水暖房システムについても、本発明を適用することができる。ただし、床暖房開始時における立ち上がり特性を改善するためには、温水暖房熱源機が６０℃以上の比較的高温の温水を床暖房マットに供給するようにしておく必要がある。
【００４３】
また、上述した各実施形態では、熱交換器２１によって生成された８０℃の２次温水の各床暖房マット３２ａ、３２ｂへの供給流量を調整するために、２次温水循環配管３３に比例制御弁３５ａ、３５ｂを設置しているが、これに限定されるものではなく、電磁弁等を開閉させることによって、２次温水の各床暖房マット３２ａ、３２ｂへの供給量を調整するようにしてもよい。
【図面の簡単な説明】
【００４４】
【図１】この発明にかかる温水暖房システムの一実施形態を示す概略構成図である。
【図２】温水暖房システムの他の実施形態を示す概略構成図である。
【図３】従来の温水暖房システムを示す概略構成図である。
【符号の説明】
【００４５】
１、２  温水暖房システム
１０  温水暖房熱源機
１１  圧縮機
１２  凝縮器
１３  膨張弁
１４  蒸発器
１５  冷媒配管
２０  １次温水循環回路
２１  熱交換器
２２  １次温水循環配管
２３  １次温水循環ポンプ
２４  比例制御弁
３０  ２次側暖房回路
３１  ファンコンベクタ（温水暖房端末装置）
３２ａ、３２ｂ  床暖房マット（温水暖房端末装置）
３３  ２次温水循環配管
３４  ２次温水循環ポンプ
３５ａ、３５ｂ  比例制御弁（制御弁）
３６  端末側循環配管
３７、３７Ａ  端末側循環ポンプ
３８ａ、３８ｂ  熱動弁（開閉弁）
【図１】
2005201618.tif 000003
【図２】
2005201618.tif 000004
【図３】
2005201618.tif 000005